(57)【要約】本発明は、１つ以上のクライアント装置からデータパケットを受信しそしてそれらをエリアネットワークに沿って送信するように構成されたアクセスポイント装置において、クライアントのデータパケットが１つ以上の許可されたエリアネットワーク装置のみに向けられるようにそれらクライアントデータパケットをコンフィギュレーションするよう構成されたセキュリティ手段を備えたアクセスポイント装置を提供する。
2004533778.tif 000002
【特許請求の範囲】
【請求項１】
１つ以上のクライアント装置からデータパケットを受信しそしてそれらをエリアネットワークに沿って送信するように構成されたアクセスポイント装置において、上記クライアントのデータパケットが１つ以上の許可されたエリアネットワーク装置のみに向けられるようにそれらクライアントデータパケットをコンフィギュレーションするよう構成されたセキュリティ手段を備えたことを特徴とするアクセスポイント装置。
【請求項２】
上記セキュリティ手段は、ネットワークに沿って送信するためにデータパケットを完全に再生しそしてその再生されたデータパケットに許可されたエリアネットワーク装置の独特の分類子を含ませるように構成された請求項１に記載のアクセスポイント装置。
【請求項３】
上記セキュリティ手段は、許可されたエリアネットワーク装置の独特の分類子、例えば、許可されたエリアネットワーク装置のＭＡＣアドレス又はＩＰアドレスを、上記クライアントデータパケットに代入／挿入するように構成された請求項１に記載のアクセスポイント装置。
【請求項４】
上記セキュリティ手段は、上記クライアントデータパケットの行先を考慮するように構成され、そして上記データパケットを、それが限定されたネットワーク装置へ向けられる場合にのみコンフィギュレーションするよう構成された請求項１ないし３のいずれかに記載のアクセスポイント装置。
【請求項５】
上記セキュリティ手段は、許可されたネットワーク装置に対する分類子のリストを備え、そして上記セキュリティ手段は、上記クライアントデータパケットの行先を上記リストと比較し、そして上記クライアントデータパケットが限定されたネットワーク装置の分類子を含む場合には許可された装置へと前方へ送信するように上記クライアントデータパケットを再コンフィギュレーションする請求項４に記載のアクセスポイント装置。
【請求項６】
上記セキュリティ手段は、データパケットをその後に転送できるようにデータパケットの１つ又は複数のオリジナル行先アドレスも転送するように構成された請求項１ないし５のいずれかに記載のアクセスポイント装置。
【請求項７】
上記セキュリティ手段は、異なるデータパケットフォーム間を区別し、そして種々のデータパケットフォームを、許可されたネットワーク装置に向けられるように区別的に変更するよう構成された請求項１ないし６のいずれかに記載のアクセスポイント装置。
【請求項８】
上記セキュリティ手段は、クライアントデータパケットのデータフィールド又はデータフィールドの一部分を、上記セキュリティ手段に記憶されたネットワーク許容送信フォームと比較することによりデータパケット送信フォーム間を区別するように構成され、そして上記セキュリティ手段は、許可されたネットワーク装置に送信フォームを向けるようにクライアントデータパケットに対する適当な変更を行うように更に構成された請求項７に記載のアクセスポイント装置。
【請求項９】
上記セキュリティ手段は、異なる送信フォームを分析し、そして同じ構造及び全体的データパケット長さでネットワークにデータパケットを与えるようにこれら異なるフォームの各々を適応させる請求項８に記載のアクセスポイント装置。
【請求項１０】
上記セキュリティ手段は、上記データパケットにデータフィールドを挿入することによりクライアントデータパケットを変更するように構成された請求項１ないし９のいずれかに記載のアクセスポイント装置。
【請求項１１】
上記セキュリティ手段は、工業規格プロトコルを使用するデータパケットをネットワーク特有のプロトコルへ及びそれとは逆にコンフィギュレーションするように構成された請求項１０に記載のアクセスポイント装置。
【請求項１２】
上記セキュリティ手段は、前方へ送信するようにあるデータパケットを選択的に変更し、そして他のデータパケットをネットワーク送信から選択的に除外するように構成された請求項７に記載のアクセスポイント装置。
【請求項１３】
上記セキュリティ手段は、クライアント装置からの特定フォームのデータパケット送信に応答し及び／又は限定されたネットワーク装置を行先とするデータパケットに応答して、クライアント装置へ返答データパケットを返送するように構成された請求項１２に記載のアクセスポイント装置。
【請求項１４】
上記セキュリティ手段は、特定の送信フォームを識別するのに応答して、その特定の送信フォームがエリアネットワークにおいて許可されないか又は限定されたことをクライアントに通知する返答データパケットを送信するように構成された請求項１２に記載のアクセスポイント装置。
【請求項１５】
上記セキュリティ手段は、アクセスポイント装置が特定の送信フォームを転送すべきかどうかについてクライアント装置に許可フォームを求めるように構成され、そして肯定の場合には、上記アクセスポイント装置は、このような送信を転送するように構成された請求項７に記載のアクセスポイント装置。
【請求項１６】
上記アクセスポイント装置は、ネットワーク装置に代わって返答するように構成された請求項１に記載のアクセスポイント装置。
【請求項１７】
上記ネットワーク装置は、限定されたネットワーク装置である請求項１６に記載のアクセスポイント装置。
【請求項１８】
上記アクセスポイント装置は、限定されたネットワーク装置に関するクライアントデータパケットに応答してクライアント装置に１つ以上の許可されたネットワーク装置のマッピング情報を与えるように構成されたセキュリティ手段を備えた請求項１ないし１７のいずれかに記載のアクセスポイント装置。
【請求項１９】
上記セキュリティ手段は、限定されたネットワーク装置を行先とするデータパケットに応答してクライアント装置へＡＲＰ送信を返送するように構成された請求項１８に記載のアクセスポイント装置。
【請求項２０】
上記セキュリティ手段は、クライアント装置からのＡＲＰ要求に応答してクライアント装置へプロキシーＡＲＰ返答送信を返送するように構成され、このプロキシーＡＲＰ返答は、１つ以上の許可されたネットワーク装置のリンク層アドレスを含む請求項１８又は１９の記載のアクセスポイント装置。
【請求項２１】
上記リンク層アドレスは、ＭＡＣアドレスである請求項２０に記載のアクセスポイント装置。
【請求項２２】
上記セキュリティ手段は、許可されたＡＲＰ要求に応答してクライアント装置からユニキャストＡＲＰ返答を受け入れるように構成された請求項１ないし２１のいずれかに記載のアクセスポイント装置。
【請求項２３】
上記セキュリティ手段は、データパケットの特性を考慮し、そしてその特性に基づいて、データパケットを、特定の許可されたエリアネットワーク装置へ向けるようにコンフィギュレーションする請求項１ないし２２のいずれかに記載のアクセスポイント装置。
【請求項２４】
上記セキュリティ手段は、特定の時間内に特定の許可されたネットワーク装置へ送信される送信量を監視し、そしてその時間内に特定の許可されたネットワーク装置へ送信される送信量に基づいて異なる許可されたネットワーク装置へデータパケットを向け直すように構成された請求項１ないし２３のいずれかに記載のアクセスポイント装置。
【請求項２５】
上記アクセスポイント装置により受信されるクライアントデータパケットは、標準プロトコルに適合するプロトコルフィールドを備え、そして上記セキュリティ手段は、１つ以上のプロトコルフィールドのコンテンツを変更し、依然として標準プロトコルに適合する変更されたクライアントデータパケットを発生するように構成された請求項１に記載のアクセスポイント装置。
【請求項２６】
上記アクセスポイント装置により受信されるクライアントデータパケット及び上記変更されたクライアントデータパケットは、同じ標準的プロトコルに適合する請求項２５に記載のアクセスポイント装置。
【請求項２７】
上記アクセスポイント装置により受信されるクライアントデータパケット及び上記変更されたクライアントデータパケットは、異なる標準的プロトコルに適合する請求項２５に記載のアクセスポイント装置。
【請求項２８】
エリアネットワークにセキュリティを与える方法であって、１つ以上のクライアント装置からデータパケットを受信し、そしてそれらをエリアネットワークに沿って送信するよう構成することを含む方法において、上記クライアントのデータパケットが１つ以上の許可されたエリアネットワーク装置のみに向けられるようにそれらクライアントデータパケットをコンフィギュレーションすることを特徴とする方法。
【請求項２９】
１つ以上のクライアント装置からデータパケットを受信し、そしてそれらをエリアネットワークに沿って送信するよう構成されたアクセスポイント装置において、ネットワーク装置に代わって応答するように構成されたことを特徴とするアクセスポイント装置。
【請求項３０】
上記ネットワーク装置は、限定されたネットワーク装置である請求項２９に記載のアクセスポイント装置。
【請求項３１】
上記アクセスポイント装置は、限定されたネットワーク装置に関するクライアントデータパケットに応答してクライアント装置へ１つ以上の許可されたネットワーク装置のマッピング情報を与えるように構成されたセキュリティ手段を備えた請求項３０に記載のアクセスポイント装置。
【請求項３２】
上記セキュリティ手段は、限定されたネットワーク装置を行先とするデータパケットに応答してクライアント装置へＡＲＰ送信を返送するように構成された請求項３１に記載のアクセスポイント装置。
【請求項３３】
上記セキュリティ手段は、クライアント装置からのＡＲＰ要求に応答してクライアント装置へプロキシーＡＲＰ返答送信を返送するように構成され、このプロキシーＡＲＰ返答は、１つ以上の許可されたネットワーク装置のリンク層アドレスを含む請求項３１又は３２の記載のアクセスポイント装置。
【請求項３４】
上記リンク層アドレスは、ＭＡＣアドレスである請求項３３に記載のアクセスポイント装置。
【請求項３５】
上記セキュリティ手段は、許可されたＡＲＰ要求に応答してクライアント装置からユニキャストＡＲＰ返答を受け入れるように構成された請求項１ないし３４のいずれかに記載のアクセスポイント装置。
【請求項３６】
請求項１ないし３５のいずれかに記載のアクセスポイント装置を備えたエリアネットワーク。
【請求項３７】
請求項１ないし３５のいずれかに記載のアクセスポイント装置を備えた公衆エリアネットワーク。
【請求項３８】
上記エリアネットワークは、公衆エリアネットワークである請求項１ないし３７のいずれかに記載のアクセスポイント装置。
【発明の詳細な説明】
【技術分野】
【０００１】
本発明は、一般に、コンピュータネットワークの分野に係り、より詳細には、エリアネットワークの分野に係る。
【背景技術】
【０００２】
コンピュータネットワークとは、２つ以上のコンピュータシステムが一緒にリンクされたグループとして定義することができる。この定義において、コンピュータシステムは、コンピュータを含むだけでなく、コンピュータのファンクションを実行するのに必要なソフトウェア又は周辺装置も含む完全なワーキングコンピュータを意味するものと考えられる。例えば、各コンピュータシステムは、オペレーティングシステムを必要とし、そしてコンピュータ処理された情報のハードコピーを与えるためにプリンタ装置が一般に必要とされる。
【０００３】
コンピュータネットワークは、多数の方法で分類することができ、例えば、トポロジー（ネットワーク内の装置の幾何学的構成、例えば、バス、スター及びリング）、媒体（装置を、例えば、同軸／光ファイバケーブル又は高周波に接続する手段）、プロトコル（データを送信するルールの共通セット）、或いはアーキテクチャー（ピア／ピア又はクライアント／サーバー）に関して分類することができる。又、プロトコルは、コンピュータネットワークがピア／ピアアーキテクチャーを使用するか又はクライアント／サーバーアーキテクチャーを使用するかも決定し、従って、このような単純な分類は、コンピュータネットワークが２つ以上のカテゴリーに入るような事態をしばしば招く。
【０００４】
上述した分類に加えて、コンピュータネットワークは、ネットワークが分布した地理的領域に関してグループ分けすることができる。このような分類は、エリアネットワークのカテゴリーを生じ、これは、ローカルエリアネットワーク（ＬＡＮ）、ワイドエリアネットワーク（ＷＡＮ）及びメトロポリタンエリアネットワーク（ＭＡＮ）を含む。ＬＡＮの場合には、ネットワークのコンピュータは、地理的に互いに接近し、例えば、１つのビル内、又はビルのグループ内にある。ＷＡＮの場合には、コンピュータは更に分離され、電話線又は高周波によって接続される。１つのＬＡＮを、電話線及び／又は高周波により長距離にわたって他のＬＡＮに接続して、ＷＡＮを形成することもできる。ＭＡＮは、町及び都市に対して設計されたネットワークである。
【０００５】
本発明は、エリアネットワークの分野に係り、上述した全てのエリアネットワークを含む。更に、このような単純な分類は、コンピュータネットワークが２つ以上のカテゴリーに入るような事態をしばしば招くので、本発明は、他のネットワークカテゴリーにも入るネットワークへの適用を除外するものではないことに注意するのが重要である。従って、本発明は、ネットワークのトポロジー、媒体、プロトコル、又はアーキテクチャーに拘りなく、エリアネットワークに係る。又、本発明は、有線ではなく高周波の無線波を使用して、あるネットワーク装置間で通信するＬＡＮのサブクラスであるワイヤレスローカルエリアネットワーク（ＷＬＡＮ又はＬＡＷＮ）にも適用できる。
【０００６】
エリアネットワークは、多数のコンピュータを互いに接続して情報及びリソースを共用できるように設計されている。関連ネットワークコンピュータに対するネットワークプロトコル、オペレーティングシステム及びアプリケーションソフトウェアは、同じエリアネットワーク上の２つ以上のコンピュータが情報を共用できそしてネットワーク上の他の各々の存在が通知されるように意図されているという仮定で設計されている。このような構成は、エリアネットワークのユーザ（クライアント）がビジネス／パーソナル関係を有する場合にしか適当でない。しかしながら、クライアントがパーソナル／ビジネス関係をもたない状況では（例えば、公衆エリアネットワークにおいて）、エリアネットワーク、特に、ＬＡＮにより与えられる利点を利用する機会がある。このような用途の一例は、ＬＡＮ／ＷＡＮが設けられて、乗客（クライアント）がインターネットにアクセスできると同時に、同じＬＡＮ／ＷＡＮに接続された別の乗客のコンピュータへのアクセスを防止できるようなエアポートのビジネスラウンジである。
【０００７】
このようにセキュリティが重要な用途では、クライアントがネットワークに対してしばしば新しいクライアントであって互いに又はネットワークに対して以前にビジネス又はパーソナル関係をもたない場合に、送信データパケットの形態の通信がプライベートに維持され（即ちあるクライアントの送信が別のクライアントから分離され）、しかも、理想的には一般に使用される通信プロトコルを用いてこのようなユーザにとってネットワークへのアクセスが容易に行えることが望ましい。ネットワークへのクライアントアクセス及びそのアクセスの時間中に、ある程度の制御を与えることも必要である。
【０００８】
アクセス制御の必要性を最初に取り上げると、これは、ネットワークの使用を監視及び制御するように設計された「アクセスコントローラ（ＡＣ）」として一般に知られた１つ以上の制御コンピュータによりエリアネットワークの送信を仲介することにより達成できる。これらは、ネットワークアーキテクチャーにおいてクライアントデータパケットを受信する位置に設けられ、データパケットが最初にネットワークを経てあまり遠くに進行しないようにする。このような位置は、アーキテクチャー的には、アクセスポイント装置の直後であり、アクセスポイント装置は、ネットワークへのクライアント装置のアクセスを許すために設けられる。従って、現在の解決策におけるＡＣの有効な機能は、アーキテクチャーに依存し、即ちＡＣをバイパスする送信の防止は、ネットワークのアーキテクチャー設計によるものである。
【０００９】
セキュリティに関しては、既存のＬＡＮにおけるセキュリティの成果により、エリアネットワークは、ネットワーク確認されたクライアントコンピュータからのデータパケットの送信しか許さないように構成される。これは、送信データパケットの一部分としてクライアント装置により送信される独特のクライアント装置分類子（例えば、ＭＡＣアドレス）又は許可コード（例えば、パスワード）を考慮するようにアクセスポイント装置又はＡＣを構成することにより行われる。しかしながら、このような構成は、クライアント装置がネットワークへのアクセスを許可されるかどうかしかチェックせず、アクセスが要求されている装置が許可されるかどうかを考慮するものではない。従って、この解決策は、それ単独で、ネットワークを使用することが許可された誰か、又はネットワークにより確認されるクライアント装置分類子又は許可コードを与えるように自分の装置を変更した誰かが、ネットワークのプライベートエリアへのアクセスを得るのを必ずしも防止しない。
【００１０】
クライアント装置がネットワークへのアクセスを許可されるかどうかの上述した考慮は、他にも欠点がある。一般的に述べると、装置間の通信は、ユニキャスト（特定の識別された単一装置間、即ち「ポイント対ポイント」）、マルチキャスト（１つ以上の装置と１組の特定の識別された装置との間）、又はブロードキャスト（単一の装置と１つ以上の非特定装置との間）送信により行われる。不都合なことに、クライアント装置がネットワークへのアクセスを許されるかどうかの考慮は、ネットワーク確認されたクライアント装置からのマルチキャスト／ブロードキャスト送信がエリアネットワーク全体に浸透するのを防止するものではなく、従って、これは、クライアントのプライバシーに影響し得る。更に、多数のネットワーク確認されたクライアント装置が、同じアクセスポイント装置を使用してエリアネットワークに接続こともある。このようなクライアント装置は、エリアネットワークのコアへ送信を入り込ませずに、共通のアクセスポイント装置を通過するユニキャスト／マルチキャスト／ブロードキャスト送信により互いに通信することが現在可能である。このような送信経路は、ネットワークのコアにおいてネットワーク装置をバイパスし、従って、ネットワークアクセス及び使用の制御及び監視を禁止する。又、クライアントのプライバシーは、特に、隣接するクライアント装置からの余計なマルチキャスト／ブロードキャスト送信の受信により減少される。更に、上述したように、現在のネットワークにおけるＡＣの有効な機能は、アーキテクチャーに依存する。それ故、ＡＣが適当に配置されない限り、現在のネットワーク構成では、隣接アクセスポイント装置に接続されたクライアント装置が、ＡＣをバイパスするユニキャスト／マルチキャスト／ブロードキャスト送信を使用して互いに通信することも考えられる。
【００１１】
特に、インターネットプロトコルバージョン４（ＩＰｖ４）は、広く利用されている通信プロトコルで、アドレス分析プロトコル（ＡＲＰ）を使用して、ターゲットノード、例えば、クライアント又はネットワーク装置のリンク層アドレスをそのＩＰアドレスから分析することができる。実際に、ＡＲＰは、ＩＰｖ４上で動作せず、ＡＲＰパケットは、特殊なリンク層パケットである。ＡＲＰの通常の使用において、ターゲットＩＰアドレスに対応するリンク層アドレスを分析する必要のあるクライアント装置のようなノードがＡＲＰ要求をブロードキャストする。ＡＣのようなターゲットノードは、そのリンク層アドレスがＡＲＰ要求で待ち行列処理されることを確認すると、ＡＲＰ返答をＡＲＰ要求の送信者へユニキャストする。
【００１２】
多数の形式のＡＲＰが存在する。無料ＡＲＰは、他のノードが自発的にそれらのＡＲＰテーブルのエントリーを更新するようにさせるためにあるノードにより送信されるＡＲＰパケットである。これは、例えば、リンク層アドレスが変化する場合に使用することができる。ＡＲＰ仕様では、ＡＲＰパケットを受信するノードは、その受信ノードがそのＡＲＰテーブルにＩＰアドレスに対するエントリーを既に有する場合には、そのローカルＡＲＰテーブルをＡＲＰパケットにおける送信者のＩＰ及びリンク層アドレスで更新しなければならないことを必要とする。ＡＲＰプロトコルにおけるこの必要性は、ＡＲＰ要求パケットと、受信ノードにより送信されるＡＲＰ要求に一致しないＡＲＰ返答パケットに対しても適用される。別の形態のＡＲＰは、それ自身のＡＲＰ要求に返答できないか又は返答しない別のノードに代わってあるノードによりＡＲＰ返答が送信されるようなプロキシーＡＲＰである。プロキシーＡＲＰの送信者は、あるコンフィギュレーションされたリンク層アドレス（一般的にはそれ自身の）をターゲットリンク層アドレスとして供給する。プロキシーＡＲＰを受信するノードは、次いで、このリンク層アドレスを、オリジナルターゲットノードのＩＰアドレスに関連付ける。逆アドレス分析プロトコル（ＲＡＲＰ）を使用して、リンク層アドレスからＩＰアドレスを分析することもできる。
【発明の開示】
【発明が解決しようとする課題】
【００１３】
特に、ＷＬＡＮを使用するクライアントは、ユニキャストＩＰパケットを送信及び受信するためにＡＲＰを使用することができねばならない。しかしながら、ＡＲＰは、内蔵セキュリティ機能をもたず、クライアントによって自由に使用され、悪意のあるクライアントがアクセスネットワークのオペレーションを妨害する機会を与える。例えば、悪意のあるクライアントは、ネットワーク上の全てのノードのＡＲＰテーブルを、アクセスルーターに代わって偽の無料ＡＲＰパケットをブロードキャストするだけで変更できてしまう。
本発明は、公知技術の上記欠点に対処することに向けられる。
【課題を解決するための手段】
【００１４】
従って、本発明は、その第１の特徴において、１つ以上のクライアント装置からデータパケットを受信しそしてそれらをエリアネットワークに沿って送信するように構成されたアクセスポイント装置において、クライアントデータパケットが１つ以上の許可されたエリアネットワーク装置のみに向けられるようにそれらクライアントデータパケットをコンフィギュレーションするよう構成されたセキュリティ手段を備えたことを特徴とするアクセスポイント装置を提供する。
【００１５】
従って、本発明は、データパケットの元の行先に拘らず、データパケットが、クライアント装置を含む限定されたネットワーク装置から離れて、許可されたネットワーク装置へ向け直されるよう確保するアクセスポイント装置を提供する。従って、公知技術とは異なり、本発明は、ネットワークにおける許可されたネットワーク装置の位置に拘らず、１つ以上の特定の許可された位置への供給を確保し、従って、ネットワークアーキテクチャーにおける許可されたネットワーク装置の位置は、無関係である。特定のネットワーク装置への供給をこのように確保することは、これらネットワーク装置のバイパスが回避されるので、ネットワークのアクセス及び使用について改善された制御及び監視が与えられる。これは、エリアネットワークの使用に基づきクライアントに課金すべき場合には特に重要である。別の効果は、解決策がアクセスポイント装置のみに与えられ、従って、クライアント装置が再コンフィギュレーションを必要としないことである。解決策が、改良されたアクセスポイント装置のみにより与えられる状態では、本発明は、既存のエリアネットワークに遡って容易に且つコスト効率良く適合することができる。又、この解決策は、比較的簡単であり、従って、複雑でない。
【００１６】
エリアネットワークに沿った送信は、エリアネットワークの布線部分及び／又はワイヤレス部分への／からの／内の送信を含み、これは、例えば、ある場合に２つ以上のクライアント装置が同じアクセスポイント装置に接続されたときにネットワークの布線部分に顕著に入らない送信を含む。
【００１７】
ある場合には、ネットワークに沿って送信するためにデータパケットを完全に再生しそしてオリジナルのクライアントデータパケットを破棄するのがより簡単である。例えば、クライアント装置からのブロードキャスト送信が、ＡＣに向けられたユニキャスト送信に切り換えられる場合である。しかしながら、コンフィギュレーションは、許可されたエリアネットワーク装置の独特の分類子、例えば、アクセスコントローラＭＡＣアドレス又はＩＰアドレスをクライアントデータパケットに代入及び／又は挿入することにより実行されるのが好ましい。分類子がネットワーク通信プロトコルのいずれかの層に含まれるときには、データパケットのコンフィギュレーションは、適当な層において行われ、ネットワークプロトコルの特定の層に限定されない。許可されたエリアネットワーク装置は、ネットワークアクセスコントローラでもよいが、より一般的に述べると、一般的なアクセスから制約されない装置、ひいては、全てのデータパケットを安全にチャンネル接続することのできる装置である。
【００１８】
オペレーションの一例として、ユニキャスト送信は、許可されたネットワーク装置に向けられるかどうかに拘らず、許可された装置のみに送られるようにアクセスポイント装置により再コンフィギュレーションされる。更に、アクセスポイント装置は、ブロードキャスト／マルチキャストのクライアントデータパケットを、エリアネットワークに接続された他のクライアント装置から離れて、許可されたネットワーク装置へ再コンフィギュレーションする。従って、同じ又は異なるアクセスポイント装置に接続された隣接するクライアントによる望ましからぬ勧誘は防止される。
【００１９】
一実施形態では、セキュリティ手段は、クライアントデータパケットの行先を考慮するように構成され、そして許可されたエリアネットワーク装置ではなく、ネットワークの限定されたエリアに向けられる場合にのみ、データパケットをコンフィギュレーションするように構成される。従って、この実施形態は、許可されたエリアネットワーク装置に既に向けられたクライアントデータパケットの不必要な変更を回避する。
【００２０】
データパケットの行先を考慮することは、セキュリティ手段に記録された上記許可されたネットワーク装置に対する分類子のリストとの比較を単に行うだけであり、クライアントデータパケットが、許可されたネットワーク装置の分類子を含む場合だけ、データパケットは再コンフィギュレーションされない。分類子とは、本質的に、許可されたネットワーク装置の行先アドレスであり、許可されたネットワーク装置のハードウェアアドレス（例えば、通信プロトコルのデータリンク層に含まれたＭＡＣアドレス）でもよいし、又は許可されたネットワーク装置の対応ソフトウェアアドレス（例えば、通信プロトコルのネットワーク／アプリケーション層に含まれた）でもよい。一般的に述べると、許可されたネットワーク装置の分類子は、通信プロトコルのいずれの層にあってもよい。
【００２１】
データパケットの元の行先アドレス（１つ又は複数）も転送して、データパケットが、その後、例えば、送信を送出するクライアント装置の認証後に転送されるように、セキュリティ手段をコンフィギュレーションするのが好ましい。
ネットワークは、１つの送信フォーム、例えば、ユニキャスト送信のみを使用するように構成することができる。しかしながら、種々のデータパケット送信フォームを取り扱うために、アクセスポイント装置は、異なるデータパケットフォーム間を区別でき、そして許可されたネットワーク装置へ向けるように種々のデータパケットフォームを区別的に変更できるように構成されるのが好ましい。例えば、この実施形態では、データパケットがユニキャスト送信フォームであるか、マルチキャスト送信フォームであるか又はブロードキャスト送信フォームであるかを識別し、或いはどんな特定フォームのユニキャスト、マルチキャスト又はブロードキャスト送信であるか（例えば、無料ＡＲＰ）を識別し、そしてそれに応じて、許可されたネットワーク装置へ前方送信するようにデータパケットを区別的に変更することが可能である。
【００２２】
データパケットの区別化は、クライアントデータパケットのデータフィールド又はデータフィールドの一部分をネットワーク許容送信フォームと比較し、そして許可されたネットワーク装置へ送信フォームを向けるようにクライアントデータパケットに対する適当な変更を行うようにアクセスポイント装置を構成することにより実行できるのが便利である。データフィールドは、ネットワーク通信プロトコルのいずれの層に収容されてもよく、そしてリンク層ヘッダ、ＩＰヘッダ及び搬送プロトコルヘッダ（ＵＤＰ及びＴＣＰ）を含む。
【００２３】
ユニキャストデータパケットは、前方送信に対しマルチキャスト／ブロードキャストデータパケットとは異なるコンフィギュレーションの変更を必要とするので、アクセスポイント装置は、これらの異なる送信フォームを分析し、そしてこれらの異なるフォームの各々を、同じ構造及び全データパケット長さでネットワークへデータパケットを供給するように適応させるのが好ましい。この場合に、ネットワークプロトコルは、工業規格内に維持することができる。しかしながら、クライアントデータパケットは、データフィールドをデータパケットに挿入することにより変更される。この場合に、データパケットは、増加された長さを有し、異なる構造を有してもよく、ひいては、非標準的なネットワークプロトコルを使用してもよい。このような場合に、アクセスポイント装置には、データパケットをエリアネットワーク特有のプロトコルフォーマットから工業規格プロトコルへ及びそれとは逆にコンフィギュレーションするための手段が設けられる。このように、クライアント装置は、工業規格プロトコルを使用して以前動作することができる。
【００２４】
好ましくは、アクセスポイント装置により受信されるクライアントデータパケットは、標準プロトコルに合致するプロトコルフィールドを備え、そしてセキュリティ手段は、１つ以上のプロトコルフィールドのコンテンツを変更し、依然として標準プロトコルに適合する変更されたクライアントデータパケットを発生するように構成される。アクセスポイント装置により受信されるクライアントデータパケット及び変更されたクライアントデータパケットは、同じ標準的プロトコルに適合する。アクセスポイント装置により受信されるクライアントデータパケット及び変更されたクライアントデータパケットは、異なる標準的プロトコルに適合してもよい。
【００２５】
エリアネットワークが工業標準プロトコルを使用する場合には、クライアント装置とアクセスポイント装置との間の送信に対して非標準的プロトコルを受け入れるようにアクセスポイント装置を構成し、そして非標準的プロトコルのクライアント装置送信をエリアネットワークに対する工業標準プロトコル送信へ及びそれとは逆にコンフィギュレーションするための手段をアクセスポイント装置に設けることにより、高いセキュリティを与えることができる。このように、アクセスポイント装置を除いて、残りのエリアネットワーク装置は、工業規格の範囲内でよい。もちろん、クライアント装置は、非標準的プロトコルを設けることが必要であり、これは、ハードウェア、ソフトウェア又はその組み合せの形態で与えられる。例えば、クライアントは、それらの装置へ挿入するための非標準的プロトコルを含むＰＣＭＣＩＡカードを購入してもよい。ＰＣＭＣＩＡカードが、所定の時間中エリアネットワークの使用を許すか、又は少なくとも、ネットワークのクライアント使用を監視するものである場合には、どのクライアントがエリアネットワークの使用を許可されたか及びその使用の期間の両方に対して制御及び監視を行うことができる。アクセスポイント装置又はＡＣに設けられるフィルタ手段は、クライアント装置の送信が、許可されたＰＣＭＣＩＡカードを使用するクライアント装置からのものであるかどうか分析するように変更されてもよい。
【００２６】
アクセスポイント装置は、それが異なるデータパケット送信フォーム間を区別できる場合には、前方送信に対してあるデータパケットを選択的に変更し、そして他のデータパケットをネットワーク送信から選択的に除外するように構成されるのが効果的である。従って、この実施形態は、例えば、ブロードキャスト送信を識別して、それをネットワーク送信から除外し、そして限定されたネットワーク装置に向けられるユニキャスト送信を識別し、そしてこのデータパケットを、許可されたネットワーク装置へ向けられるようにコンフィギュレーションすることができる。例えば、ダイナミックホストコンフィギュレーションプロトコル（ＤＨＣＰ）データパケットは、データパケットが、ＵＤＰをカプセル化するＩＰパケットであり、且つ行先ポートフィールドが値６７を含むことを観察することにより確認することができ、従って、このプロトコルを用いて確認されたデータパケットは、ネットワークへのアクセスが許される。ある送信フォームに対してネットワークへのアクセスを許可するか拒絶するかは、クライアント装置がデータパケットを発信したときに基礎となった選択を含むローカルポリシー事項をベースとしている。従って、全ての又は幾つかの送信フォームを特定の装置から除外することができる。
【００２７】
変形態様においては、アクセスポイント装置は、クライアント装置からの特定フォームのデータパケット送信に応答し及び／又は非許可の（限定された）ネットワーク装置を行先とするデータパケットに応答して、クライアント装置へ返答データパケットを返送するように構成される。例えば、アクセスポイント装置は、適当なターゲットリンク層アドレスを使用して、プロキシーＡＲＰ返答送信を、ＡＲＰ要求送信を発信したクライアント装置へ返送すると同時に、ＡＲＰ要求をネットワークへ転送しないようにする。ターゲットリンク層アドレスは、許可されたネットワーク装置に対応するので、更に別のクライアント送信は、適当なリンク層アドレスを有する許可されたネットワーク装置に向けられたユニキャスト送信でなければならない。或いは又、アクセスポイント装置は、そのような送信フォームがエリアネットワークにおいて許されないか又は限定されることをクライアントに通知する返答データパケットを単に送信するように構成されてもよい。
【００２８】
アクセスポイント装置は、ネットワーク装置、好ましくは、限定されたネットワーク装置に代わって応答するように構成される。アクセスポイント装置は、限定されたネットワーク装置に関するクライアントデータパケットに応答して、１つ以上の許可されたネットワーク装置のマッピング情報をクライアント装置に供給するように構成されたセキュリティ手段を備えている。
限定されたネットワーク装置に関するクライアントデータパケットは、１つ以上の限定された装置に特にアドレスされたクライアントデータパケットに制限されず、限定されたネットワーク装置（及びおそらく許可されたネットワーク装置）により受信されるクライアントデータパケット、例えば、ＡＲＰ要求の場合にはブロードキャスト送信を含む。
【００２９】
より詳細には、セキュリティ手段は、限定されたネットワーク装置を行先とするデータパケットに応答して、ＡＲＰ送信をクライアント装置に返送するように構成される。
アクセスポイント装置は、クライアント装置からのＡＲＰ要求に応答して、プロキシーＡＲＰ返答送信をクライアント装置に返送するように構成され、このプロキシーＡＲＰ返答は、１つ以上の許可されたネットワーク装置のリンク層アドレスを含む。リンク層アドレスは、ＭＡＣアドレスでもよい。
【００３０】
セキュリティ手段は、許可されたＡＲＰ要求に応答してクライアント装置からユニキャストＡＲＰ返答を受け入れるように構成されるのが好ましい。
別の実施形態では、アクセスポイント装置は、該アクセスポイント装置が特定の送信フォームを転送すべきかどうかについてクライアント装置から許可を求めるように構成され、そして肯定の場合に、アクセスポイント装置は、このような送信を転送するように構成される。又、許可を求めることは、特定のクライアント装置から送信を送出するための許可でもある。従って、アクセスポイント装置は、クライアントの希望に基づいてそのローカルプライバシーポリシーを適応させることができる。許可を求め及び／又は送信を転送することは、ＡＣのような許可されたネットワーク装置により行うことができる。
【００３１】
別の実施形態では、セキュリティ手段は、データパケットの特性を考慮し、そしてこの特性に基づいて、特定の許可されたエリアネットワーク装置へ向けるようにデータパケットをコンフィギュレーションするよう構成される。従って、この実施形態は、データパケットの特性に基づいてデータパケットの行先を区別的に変更する。このような特性は、各クライアント装置に対する独特の分類子（例えば、ＭＡＣアドレス）を含み、特定のクライアント装置からの全ての送信が、特定の許可されたネットワーク装置へ向けられるようにする。この態様では、特定のクライアント装置による使用に関する全ての情報を１つの特定位置に向けることができ、この情報を多数の異なる許可されたネットワーク装置から後で照査する必要はない。
【００３２】
更に別の実施形態では、セキュリティ手段は、特定時間内に特定の許可されたネットワーク装置へ送信される送信量を監視し、そしてその時間内に特定の許可されたネットワーク装置へ送信される送信量に基づいて異なる許可されたネットワーク装置へデータパケットを向け直すように構成される。このような構成は、ネットワーク全体にわたってリソースを共用することを許し、従って、特定の許可されたネットワーク装置が過負荷になったり過少利用になったりすることはない。又、アクセスポイント装置は、互いに通信し及び／又は許可されたネットワーク装置と通信して、最適なリソース共用を決定するように構成することもできる。
【００３３】
別の特徴において、本発明は、ネットワーク装置、好ましくは、限定されたネットワーク装置に代わって返答するように構成されたアクセスポイント装置を提供する。好ましくは、本発明は、１つ以上のクライアント装置からデータパケットを受信しそしてそれらをエリアネットワークに沿って送信するように構成されたアクセスポイント装置において、限定されたネットワーク装置に関するクライアントデータパケットに応答してクライアント装置へ１つ以上の許可されたネットワーク装置のマッピング情報を与えるように構成されたセキュリティ手段を備えたことを特徴とするアクセスポイント装置を提供する。
【００３４】
上述したように、限定されたネットワーク装置に関するクライアントデータパケットは、１つ以上の限定された装置に特にアドレスされたクライアントデータパケットに制限されず、限定されたネットワーク装置により受信されるクライアントデータパケット、例えば、ブロードキャスト送信を含んでもよい。
一実施形態では、セキュリティ手段は、限定されたネットワーク装置を行先とするデータパケットに応答してクライアント装置にＡＲＰ送信を返送するように構成される。
【００３５】
好ましくは、セキュリティ手段は、クライアント装置からのＡＲＰ要求に応答してクライアント装置へプロキシーＡＲＰ返答送信を返送するように構成され、このプロキシーＡＲＰ返答は、１つ以上の許可されたネットワーク装置のリンク層アドレスを含む。リンク層アドレスは、ＭＡＣアドレスでよい。
好ましくは、セキュリティ手段は、許可されたＡＲＰ要求に応答してクライアント装置からユニキャストＡＲＰ返答を受け入れるように構成される。
【００３６】
本発明は、ハードウェア、ソフトウェア又はその組合せで実施することができる。更に、上述した公知解決策の幾つか又は全部に関連して使用することもできる。例えば、アクセスポイント装置は、パスワードエントリーにより及び／又はデータパケットに含まれたクライアント装置分類子のチェックにより、クライアント装置を最初に許可するための許可手段を備えるように構成される。この許可手段が、データパケット、又はより一般的には、クライアント装置が、ネットワークにより確認された（即ち、クライアント装置がエリアネットワークへのアクセスが許可された）ことを識別する場合に、データパケットがセキュリティ手段へ転送される。
【００３７】
又、本発明は、エリアネットワークにセキュリティを与える全ての対応する方法、及びアクセスポイント装置を備えたエリアネットワークも包含する。本発明の上述した及び以下に述べる実施形態の組み合せも全て本発明の範囲内に包含される。
以下、添付図面を参照して、本発明の特定の実施形態を詳細に説明する。
【発明を実施するための最良の形態】
【００３８】
図１及び２には、典型的なＷＬＡＮの一部分１が示されている。ＷＬＡＮは、カバレージエリア２１を各々有する多数のアクセスポイント装置２０を備え、これらのアクセスポイント装置は、カバレージエリアにわたり、１つ以上のクライアント装置２５（例えば、ラップトップコンピュータ）との間で情報をやり取りすることができる。隣接するカバレージエリア２１は重畳し、そしてエリアネットワークは、１つのクライアント装置２５がローミングして、エリアネットワークから切断されずに隣接カバレージエリア２１へ移動できるように構成される。
【００３９】
アクセスポイント装置２０の各々は、共通の送信ライン３０に接続される。ネットワークへのアクセスを制御するように設計されたアクセスコントローラ４０は、送信ライン３０の長さに沿った種々の位置において送信ライン３０に接続される。それらは、本質的に、送信ライン３０に沿ってクライアント装置２５との間で情報をやり取りすることによりエリアネットワークの他部分（図示せず）に対してゲートウェイとして機能する。又、それらは、隣接するアクセスポイント装置２０間でクライアント装置２５のローミングを許すようにネットワークをコンフィギュレーションするのにも使用される。
【００４０】
現在、同じアクセスポイント装置２０に接続されたクライアント装置２５は、アクセスコントローラ４０により送信が遮られることなく、共通のアクセスポイント２５を経て互いに通信することができる（図１、経路Ａ）。このような通信は、ユニキャスト、マルチキャスト又はブロードキャスト送信により行われる。又、隣接するアクセスポイント装置２０に接続されたクライアント装置２５は、この場合も、アクセスコントローラ４０により送信が遮られることなく、ユニキャスト、マルチキャスト又はブロードキャスト送信により互いに通信することができる（図１、経路Ｂ）。例えば、ＡＲＰブロードキャストの場合には、データパケットは、ＷＬＡＮに接続された全ての装置２５にブロードキャストされる。データパケットは、送信者が通信の際に関心のあるＩＰアドレスを含む。ほとんどの装置２５は、データパケットを無視する。しかしながら、ターゲット装置２５は、データパケットのＩＰアドレスをそれ自身で確認し、そして応答を返送する。
【００４１】
本発明の目的は、通信を、許可されたネットワーク装置のみに限定し、特に、通信経路Ａ及びＢ（図１）に沿って送られる送信に限定することである。又、クライアント装置２５とアクセスコントローラ４０との間の通信経路Ｃ、Ｄ（図２）に沿った送信にも、ある限定が適用される。
アクセスポイント装置２０は、１つ以上のクライアント装置２５からデータパケットを受信しそしてそれらをエリアネットワークに沿って送信するように構成される。アクセスポイント装置２０は、更に、クライアントデータパケットが１つ以上の許可されたエリアネットワーク装置、この場合には、アクセスコントローラ４０のみに向けられるように、クライアントデータパケットをコンフィギュレーションするよう構成される。これを行う１つの方法は、アクセスコントローラ４０の行先アドレスをデータパケットに追加することである。別の方法は、データパケットの行先アドレスをアクセスコントローラ４０の行先アドレスに置き換えることである。後者の方法は、ネットワーク限定された装置に向けられたユニキャスト送信を、許可されたネットワーク装置へ向け直すのに特に有用であり、そして到来するクライアントデータパケットの送信フォームを考慮するように更に構成されたアクセスポイント装置２０と特に組み合せて、本発明を実施する好ましい方法である。従って、データパケットが、許可されたアクセスコントローラ４０に向けられたユニキャスト送信である場合には、アクセスポイント装置２０は、再コンフィギュレーションせずにクライアントデータパケットを転送するように構成される。しかしながら、データパケットがユニキャスト送信フォームでないか、又はネットワーク限定された装置へのユニキャスト送信である場合には、アクセスポイント装置２０は、ローカルポリシー事項に基づいてこのような送信のアクセスを制限するように構成され、例えば、ある場合には、許可されたクライアント装置２５からのブロードキャスト送信が許されるようにしてもよい。
【００４２】
データパケットが、ネットワーク許可されたアクセスコントローラ４０を行先とするかどうか決定するために、アクセスポイント装置２０は、ネットワーク許可された装置のアドレス（例えば、ＩＰアドレス又はＭＡＣアドレス）のリストを備え、これは、多数の許可されたアクセスコントローラ４０のアドレスを含む。この情報は、周期的に変化し、それ故、アクセスポイント装置２０は、この情報を更新できるように構成される。このようなアクセスポイント装置２０は、ネットワークにアクセスすることが許可されたクライアント装置２５、即ちネットワークにより確認されたクライアント装置に対応するクライアント装置ＭＡＣアドレスのリストを含むように変更できる。この情報も周期的に変化し、従って、アクセスポイント装置２０は、このリストを周期的に更新するように更に構成される。
【００４３】
このような変更された装置のオペレーションにおいて、アクセスポイント装置２０は、データパケットが、ネットワーク確認されたクライアント装置２５のＭＡＣアドレスを含むかどうか最初に考慮する。データパケットが、ネットワーク確認されたクライアント装置からのものである場合には、アクセスポイント装置２０は、データパケットの行先を更に考える。次いで、データパケットが正しいフォーム（例えば、ユニキャスト）であり、そして許可されたアクセスコントローラ４０へ向けられる場合には、データパケットがアクセスコントローラ４０へ転送される。
【００４４】
異なるデータパケット送信フォーム間を区別する１つの態様において、アクセスポイント装置２０は、クライアントデータパケットが比較されるところの多数のデータフィールドのリストも備えている。このデータフィールドは、ＭＡＣマルチキャストアドレス、プロトコルヘッダオフセット位置、プロトコルヘッダマスクバイト、及びプロトコルヘッダ一致バイトを含む。このようなケースでは、アクセスポイント装置２０は、これらフィールドを受信データパケットのフィールドとクロスチェックし、そしてその分析に基づいて、データパケットで何を行うか決定するように構成される。例えば、異なるデータパケットフィールドを分析することにより、アクセスポイント装置２０は、ブロードキャスト、マルチキャスト及びＤＨＣＰデータパケット間を区別し、そしてそれに応じて、全てのブロードキャスト及びマルチキャスト送信をデフォールトにより破棄するが、ＤＨＣＰパケットをローカルＤＨＣＰサーバーへ転送するように構成できる。
【００４５】
クライアントデータパケットのフォーム及びデータパケットの元の行先をこのように考慮することを開発し、更に別の実施形態を形成することができる。これは、オリジナルデータパケットのフォーム及び行先に基づいて前方ネットワーク送信のためにクライアント装置データパケットを区別的に変更できるようにアクセスポイント装置２０を構成することを含む。従って、例えば、アクセスポイント装置２０は、ネットワーク限定されたアクセスコントローラ４０又は別のクライアント装置２５に向けられたユニキャストデータパケットを、再コンフィギュレーションし、従って、許可されたアクセスコントローラ４０へ向け直すことができると共に、ネットワークアクセスを一般的にブロードキャスト送信に対して限定することもできる。
【００４６】
データパケットの変更は、ブロードキャスト送信からユニキャスト送信を発生する形態をとってもよい。例えば、クライアント装置２５からのＡＲＰブロードキャストのケースでは、アクセスポイント装置２０は、アクセスコントローラ４０のＩＰアドレス（又はＭＡＣアドレス）を含むようにデータパケットを再コンフィギュレーションするよう構成される。従って、送信は、許可されたアクセスコントローラ４０のみに向けられ、一般的に、エリアネットワーク全体にわたるブロードキャストではない。本質的に、アクセスポイント装置２０は、ブロードキャスト送信をユニキャスト送信にコンフィギュレーションする。あるケースでは、アクセスコントローラ４０は、ＡＲＰブロードキャストが許可されたクライアント装置２５から送信されたものであるかどうか考慮し、そのようなケースでは、ブロードキャスト送信をエリアネットワーク全体にわたって転送するように構成される。アクセスコントローラ４０は、もちろん、エリアネットワーク全体にわたってデータパケットを送信する前にデータパケットからアクセスコントローラのアドレスを除去することが必要とされる。
【００４７】
ある実施形態では、アクセスポイント装置２０は、クライアント装置２５からのＡＲＰ要求に応答してクライアント装置２５へプロキシーＡＲＰ送信を返送するように構成される。このように、アクセスポイント装置２０は、別の装置、即ちクライアント装置２５が通信しようとしていた装置に代わって、応答する。このような構成の一例においては、アクセスポイント装置２０は、ＷＬＡＮインターフェイスを経て受信したブロードキャストＡＲＰパケットを転送しないように構成される。むしろ、アクセスポイント装置２０は、受信した全てのブロードキャストＡＲＰパケットを破棄するが、適当なルーター、この場合には、アクセスコントローラ４０の適当なターゲットリンク層アドレスを使用して、受信ＡＲＰ要求に対するプロキシー応答を送信する。これは、クライアント装置２５がターゲットリンク層アドレスを安全に分析できるようにする。
【００４８】
又、ＷＬＡＮの布線部分におけるルーター及び他のサーバーは、ＷＬＡＮクライアント装置２５のターゲットリンク層アドレスを分析することも必要である。これは、ＡＲＰｉｎｇを使用して便利に実行される。この場合に、アクセスポイント装置２０は、これらのＡＲＰ要求をクライアント装置２５に転送するように構成される。クライアントは、それに対応するＡＲＰ返答をユニキャスト送信により、許可されたリンク層アドレスへ送信するので、アクセスポイント装置２０は、それらを他のユニキャストデータパケットと同様に転送する。しかしながら、クライアント装置２５がＡＲＰ要求に応答してユニキャストＡＲＰ返答を送信できるようにするだけで、更に良好なセキュリティを達成することができる。これは、悪意のあるユーザが、余計な偽のユニキャストＡＲＰ返答（例えば、無料ＡＲＰ）をローカルルーター及びサーバーへ送信して、それらのＡＲＰテーブルを変更するのを防止する。
【００４９】
別の実施形態では、アクセスポイント装置２０は、データパケットを多数の異なるアクセスコントローラ４０へ送信できるように構成されると共に、リソース共用又は勘定要求のようなローカルポリシー事項に基づいてデータパケットをどのアクセスコントローラ４０に送信すべきか決定するように構成される。例えば、アクセスポイント装置２０は、特定のアクセスコントローラ４０へ送信される送信の数を監視するように構成され、そしてアクセスコントローラ４０が過負荷状態になったと考えられる場合に、アクセスポイント装置２０は、送信を異なるアクセスコントローラ４０へ向け直すように構成される。又、アクセスポイント装置２０は、クライアントデータパケットに含まれたＭＡＣアドレスを考慮し、そしてこのＭＡＣアドレスを含む全ての送信を１つの特定のアクセスコントローラ４０へ転送するように構成されてもよい。
【００５０】
要約すれば、本発明は、クライアント装置２５間の直接的な通信を有効に阻止しながら、クライアント装置２５と１つ以上の許可されたネットワーク装置（例えば、アクセスコントローラ４０）との間に許可された通信を維持できるようにする手段を提供する。データが、許可されたネットワーク装置をバイパスせず、常にそれらに転送される場合には、口座の使用を追跡するための正確な勘定メカニズムを提供することができる。又、全てのネットワーク送信がネットワークの許可されたエリアに特に向けられることにより、ネットワークアーキテクチャーの高い設計自由度も可能とされる。本発明は、データパケットの行先をベースとする解決策を提供することに注意されたい。これは、データパケットのソースを考慮した公知技術と対照的である。更に、本発明は、異種の公知解決策に伴う多数のセキュリティ問題に便利に且つ簡単に対処するものである。
【図面の簡単な説明】
【００５１】
【図１】ＷＬＡＮの一部分を示す図で、本発明によりＷＬＡＮとインターフェイスするクライアント装置を示すと共に、クライアント装置とＷＬＡＮの一部分との間の閉じた送信経路を示す図である。
【図２】図１の構成を示す図で、本発明によりクライアント装置とＷＬＡＮの一部分との間に許可された機密送信経路を示す図である。
【図１】
2004533778.tif 000003
【図２】
2004533778.tif 000004
【国際公開パンフレット】
2004533778.tif 000005
2004533778.tif 000006
2004533778.tif 000007
2004533778.tif 000008
2004533778.tif 000009
2004533778.tif 000010
2004533778.tif 000011
2004533778.tif 000012
2004533778.tif 000013
2004533778.tif 000014
2004533778.tif 000015
2004533778.tif 000016
2004533778.tif 000017
2004533778.tif 000018
2004533778.tif 000019
2004533778.tif 000020
2004533778.tif 000021
2004533778.tif 000022
2004533778.tif 000023
2004533778.tif 000024
2004533778.tif 000025
2004533778.tif 000026
2004533778.tif 000027
2004533778.tif 000028
2004533778.tif 000029
2004533778.tif 000030
2004533778.tif 000031
2004533778.tif 000032
2004533778.tif 000033
2004533778.tif 000034
2004533778.tif 000035
2004533778.tif 000036
2004533778.tif 000037
2004533778.tif 000038
【国際公開パンフレット（コレクトバージョン）】
2004533778.tif 000039
2004533778.tif 000040
【国際調査報告】
2004533778.tif 000041
2004533778.tif 000042
2004533778.tif 000043
2004533778.tif 000044
2004533778.tif 000045